(57)【特許請求の範囲】
【請求項１】
一端側が閉塞されストランド用嵌合孔が穿設された筒状体と、該筒状体の半径方向に前記嵌合孔に連通させて穿設したネジ孔と、で形成されストランド先端部に被冠されるキャップであって、前記ストランド用嵌合孔が筒状体の軸芯に対し偏倚して穿設されていることを特徴とするケーブル用キャップ。
【請求項２】
ネジ孔が、キャップの軸芯に沿って複数箇所に設けられ、かつ、ストランドのより線のピッチに対応させて配設されていることを特徴とする請求項１に記載のケーブル用キャップ。
【発明の詳細な説明】
【０００１】
【発明の属する技術分野】
本発明は、例えば、斜張橋の斜材ケーブルを架設させる場合に、斜材ケーブルを構成する各ストランドの先端部に取り付けられるキャップに関する。
【０００２】
【従来の技術】
従来、斜張橋における主塔側の定着部と橋桁側の定着部との間に架設される斜材ケーブルの架設工事に於いて、例えば、定着部では、図４に示すように、ＰＣ鋼より線若しくはＰＣ鋼線からなるストランド１を、主塔２側の定着体３の貫通孔３ａに挿通させるために、該貫通孔３ａの後端側からパイロットワイヤ４及びキャップ５を挿通させて先端側へと突出させる。
【０００３】
そして、前記キャップ５内にストランド１の先端部を被冠させて、六角ネジ６，６を前記キャップ５のネジ孔１０にねじ込んで、該キャップ５をストランド１の先端部に固定する。
【０００４】
その後、パイロットワイヤ４を矢印方向に引き込んで、前記ストランド１を貫通孔３ａに挿通させるものである。
【０００５】
また、図５乃至図６に示すように、例えば、主塔側の定着部と橋桁側の定着部との間に設けた筒状のガイド手段７に、主塔側から橋桁側へとストランド１を挿通させて、該ストランド１の架設作業を施工する場合に、前記ストランド１の先端部に挿通状態安定用の先導体８をセットすることがある。
【０００６】
前記先導体８には、その表面から連結用のボルト９が突設され、該ボルト９の一端側がキャップ５ａの先端部に設けられたネジ孔に螺着され、キャップ５ａが六角ネジ６，６でストランド１の先端部に被冠されるものである。
【０００７】
このように、ストランド１にキャップ５，５ａを被冠させるため、図７に示すように、キャップの軸芯を中心にしてストランド用の嵌合孔が穿設されているので、ネジ孔１０を半径方向に形成するための肉厚寸法ｔ4は、例えば、ストランド１が７本のＰＣ鋼より線でなる場合、その外径寸法が約１５．２ｍｍで、これに嵌合されるキャップの内径が約１６ｍｍであって、外径が２０ｍｍであるので、その内外径の差の半分となって、ｔ4＝２ｍｍ程度しか確保されない。
【０００８】
【発明が解決しようとする課題】
前記ネジ孔１０の肉厚寸法ｔ4が約２ｍｍ程度となって小寸法なので、六角ネジ６を該ネジ孔１０に螺着させストランド１の表面を押圧させると、該六角ネジ６の頭部がキャップ表面から突出するおそれがある。
【０００９】
このように、従来のストランド被冠用のキャップは、半径方向に穿孔してネジ部を刻設したネジ孔の肉厚が十分に確保されないことにおいて解決すべき課題を有していた。
【００１０】
【課題を解決するための手段】
本発明に係るケーブル用キャップの上記課題を解決するための要旨は、一端側が閉塞されストランド用嵌合孔が穿設された筒状体と、該筒状体の半径方向に前記嵌合孔に連通させて穿設したネジ孔と、で形成されストランド先端部に被冠されるキャップであって、前記ストランド用嵌合孔が筒状体の軸芯に対し偏倚して穿設されていることである。
【００１１】
前記ネジ孔が、キャップの軸芯に沿って複数箇所に設けられ、かつ、ストランドのより線のピッチに対応させて配設されていることである。
【００１２】
本発明に係るケーブル用キャップによれば、キャップのネジ孔を設ける部分の肉厚が従来よりも厚くなる。
また、前記ネジ孔の設ける位置を、ストランドのより線のピッチに対応させて配設させることで、ネジ孔に螺着された六角ネジが、隣接するＰＣ鋼線より線の谷間に食い込むこととなり、引き抜き強度が増大するものである。
【００１３】
【発明の実施の形態】
次に、本発明に係る実施形態について図面を参照して詳細に説明する。
本発明の第１実施例は、図１乃至図３に示すように、斜張橋の斜材ケーブルを構成するＰＣ鋼より線、例えば、７本のより線からなるストランド１の場合において、該ストランド１の先端部に被冠させる金属製若しくは合成樹脂製のキャップ１１を形成する。
【００１４】
前記キャップ１１は、一端側が閉塞された筒状体で、その外径寸法が２０ｍｍである。そして、前記ストランド１の先端部を嵌合させる嵌合孔１１ａが軸芯ａに沿ってキャップ１１の他端側から穿設されている。なお、前記筒状体の一端側は、その全部が閉塞されていることを必要とするものでなく、ストランド１が貫通しなければよい。
【００１５】
前記嵌合孔１１ａの直径が１６ｍｍである。そして、図２に示すように、前記嵌合孔１１ａは、その孔径の中心位置が前記軸芯ａに対して偏倚して穿設されている。
【００１６】
よって、例えば、前記偏倚させた量を１ｍｍとすると、片側の肉厚の寸法ｔ2がｔ2＝１ｍｍとなり、他側の肉厚寸法ｔ1がｔ1＝３ｍｍとなる。そこで、この肉厚寸法ｔ1＝３ｍｍの肉部分において、ネジ孔１２を複数箇所、この第１実施例では２カ所にし、前記嵌合孔１１ａに貫通させて半径方向に設ける。
【００１７】
更に、前記ネジ孔１２，１２の配設間隔であるピッチｔ3は、図３に示すように、ストランド１における、より線のピッチに合わせている。
【００１８】
これにより、六角ネジ６を前記ネジ孔１２に螺着し、ストランド１に向かってねじ込んだ場合、当該六角ネジ６の先端が、ＰＣ鋼より線のより線同士の谷間に食い込み、キャップ１１の軸芯方向の引張力に対して強力に抵抗するようになるものである。
【００１９】
以上のようにして形成されるキャップ１１を使用すれば、ネジ孔１２のネジ部が長くして確保され、それにより、六角ネジ６の頭部がキャップ１１の表面から突出することが無くなると共に、六角ネジ６を十分に締め込むことができて高締付け力を維持できる。
【００２０】
また、ネジ孔１２，１２のピッチｔ3が、ストランド１におけるより線のピッチと同じピッチにしてあるので、六角ネジ６がより線同士の谷間に食い込んで、引張力に強く抵抗し、ストランド１の先端部からのキャップ１１の抜け防止効果が増すものである。
【００２１】
こうして、従来例における施工と同様にして、キャップ１１をストランド１の先端部に被冠させて、定着部の貫通孔にガイドしながら挿通させたり、当該キャップを介して先導体をストランド１に取り付けてガイド手段に挿通させたりするものである。
【００２２】
【発明の効果】
以上説明したように、本発明に係るケーブル用キャップは、一端側が閉塞されストランド用嵌合孔が穿設された筒状体と、該筒状体の半径方向に前記嵌合孔に連通させて穿設したネジ孔と、で形成されストランド先端部に被冠されるキャップであって、前記ストランド用嵌合孔が筒状体の軸芯に対し偏倚して穿設されているので、ネジ孔のネジ部が長くして確保されて六角ネジの頭部がキャップの表面から突出することが無くなり、ストランドを小さな貫通孔に挿通させる作業の際に、突出した六角ネジの頭部が挿通の邪魔をすると言う従来例の欠点が本発明で解消されると共に、その角ネジ６を十分に締め込むことができて高締付け力を維持できると言う優れた効果を奏する。
【００２３】
また、前記ネジ孔が、キャップの軸芯に沿って複数箇所に設けられ、かつ、ストランドのより線のピッチに対応させて配設されるので、該ネジ孔に螺着される六角ネジがより線同士の谷間に食い込んで、キャップの軸芯方向の引張力に強く抵抗し、ストランドの先端部からの当該キャップの抜けを効果的に防止すると言う優れた効果を奏する。
【図面の簡単な説明】
【図１】本発明の第１実施例に係るキャップの使用状態を説明する断面図である。
【図２】同本発明の第１実施例に係るキャップの一部を破断して示す正面図である。
【図３】ストランドに対するネジ孔の位置を示す説明図である。
【図４】従来例に係るキャップの使用状態説明図である。
【図５】同従来例に係るキャップの使用状態説明図である。
【図６】同従来例に係るキャップの使用状態の縦断面図である。
【図７】同従来例に係るキャップの断面図である。
【符号の説明】
１  ストランド、
２  主塔、
３  定着体、
３ａ  貫通孔、
４  パイロットワイヤ、
５，５ａ，１１  キャップ、
６  六角ネジ、
７  ガイド手段、
８  先導体、
９  ボルト、
１０，１２  ネジ孔、
１１ａ  嵌合孔。
【図１】
0003542857.tif 000002
【図２】
0003542857.tif 000003
【図３】
0003542857.tif 000004
【図４】
0003542857.tif 000005
【図５】
0003542857.tif 000006
【図６】
0003542857.tif 000007
【図７】
0003542857.tif 000008